(57)【要約】【課題】フィルムの走行方向に発生している筋状のしわを検出し易くするために、ライン光源を用いて、筋状のしわの横側から光を照射することができるしわ検査装置を提供する。【解決手段】しわ検査装置は、フィルム上に発生しているしわの画像を撮像するＣＣＤカメラと、少なくとも、前記カメラの撮像領域に光を照射するライン光源１と、ＣＣＤカメラが撮像した画像を解析してしわを検出するしわ検査装置を備えている。ライン光源１は、フィルムまたはシートの走行方向に直交する方向に配設され、筋状のしわの横側から光を照射するために、光の射出角度を制御する照射角制御手段としてルーバー１０を備える。【選択図】図２
2007248166.tif 000002
【特許請求の範囲】
【請求項１】
フィルムまたはシート上に発生しているしわの画像を撮像するカメラと、少なくとも、前記カメラの撮像領域に光を照射するライン光源とを備え、前記カメラが撮像した画像を解析してしわを検査するしわ検査装置において、
前記しわ検査装置の前記ライン光源は、前記フィルムまたは前記シートの走行方向に直交する方向に配設され、光の射出角度を制御する照射角制御手段を備えていることを特徴とするしわ検査装置。
【請求項２】
請求項１に記載のしわ検査装置であって、前記ライン光源に備えられた前記照射角制御手段はルーバーであることを特徴とするしわ検査装置。
【請求項３】
請求項２に記載のしわ検査装置であって、前記ライン光源に備えられた前記照射角制御手段は、微細なルーバー構造を有するフィルムであることを特徴とするしわ検査装置。
【発明の詳細な説明】
【技術分野】
【０００１】
本発明は、包装用フィルムなどに発生した筋状のしわを検査するためのしわ検査装置に関し、特に、しわ検査装置に備えられた光源に特徴をもたせたものである。
【背景技術】
【０００２】
包装用フィルムは、包含する内容物によって様々な機能（例えば、バリア性）を必要とし、その機能を実現するために包装用フィルムはラミネート加工された多層フィルムであることが一般的である。
【０００３】
包装用フィルムのラミネート加工時には、温湿度・フィルムの編肉など様々な要因によってしわが発生し、しわが発生すると包装用フィルムの見た目ばかりか、包装用フィルムに必要とされる機能が損なわれてしまう危険性がある。
このため、ラミネート後に、包装用フィルムの外観の全数検査が必要とされる。
【０００４】
印刷欠陥と同様に、ＣＣＤカメラが撮像した包装用フィルムの画像を解析することで、外観を検査することができる。
しかし、この際、特許文献１に記載されているように、ライン光源をフィルムの走行方向に直交する方向に配設すると、フィルムの走行方向で筋状に発生するしわ（特許文献１では圧延筋）が不鮮明になってしまう問題がある。
【特許文献１】特開２０００−１０８３１５公報
【発明の開示】
【発明が解決しようとする課題】
【０００５】
フィルムの走行方向で筋状に発生するしわを鮮明に撮像するためには、このしわの横側から光を照射する必要があるが、ライン光源をフィルムの走行方向に直交する方向に配設した場合に、このしわの横側から光を照射する技術は開示されていなかった。
【０００６】
そこで、本発明は、包装用フィルムなどに発生したしわを検査するときに、ライン光源をフィルムの走行方向に直交する方向に配設した場合であっても、フィルムの走行方向で筋状に発生するしわの横側から光を照射することができるしわ検査装置及を提供することを目的とする。
【課題を解決するための手段】
【０００７】
上述した課題を解決する本発明は、フィルムまたはシート上に発生しているしわの画像を撮像するカメラと、少なくとも、前記カメラの撮像領域に光を照射するライン光源とを備え、前記カメラが撮像した画像を解析してしわを検出するしわ検査装置において、前記ライン光源は、前記フィルムまたは前記シートの走行方向に直交する方向に配設され、光の射出角度を制御する照射角制御手段を備えていることを特徴とする。
【０００８】
本発明において、前記ライン光源に備えられた前記照射角制御手段は、ルーバーまたは微細なルーバー構造を有するフィルムで実現することができる。
【発明の効果】
【０００９】
上述した本発明によれば、前記しわ検査装置の前記ライン光源が、前記ルーバーまたは前記フィルムで実現される前記照射角制御手段を備えることで、前記ライン光源から照射する光の角度に指向性を持たせることができ、前記ライン光源を用いれば、フィルムの走行方向で筋状に発生するしわの横側から光を照射することができる。
【発明を実施するための最良の形態】
【００１０】
ここから、本発明に係るしわ検査装置について、図を参照しながら詳細に説明する。本実施の形態は、連続して走行するフィルム４（例えば、アルミ箔とＰＥＴがラミネート）上に発生した筋状のしわ４０を検査するしわ検査装置である。
【００１１】
図１は、本発明に係るしわ検査装置の構成を説明するための図である。図１に示したように、しわ検査装置には、フィルム４の幅方向を光学的に走査するＣＣＤカメラ２と、少なくとも、ＣＣＤカメラ２の撮像範囲に光を照射するライン光源１と、ＣＣＤカメラ２が撮像した画像を処理し、フィルム４の走行方向（図１で↑）に発生している筋状のしわ４０を検査する画像処理装置３とから少なくとも構成される。
【００１２】
図２は、しわ検査装置に備えられたライン光源１を説明する図で、図２（ａ）はライン光源１の正面図、図２（ｂ）はライン光源１の上面図である。
【００１３】
ライン光源１とは、直線状の光源で、直線状の蛍光灯を備えた光源、または、ＬＥＤが直線状に配列された光源である。
ライン光源１には、光の射出角度を制御する手段として、図２（ａ）に示したように、プラスチックなどできた複数枚の細長い板（羽板）を一定間隔で平行に並べたルーバー１０が設けられている。
【００１４】
図２（ｂ）に示したように、ライン光源１にルーバー１０を設けることで、ルーバー１の羽板が設置された角度θとほぼ平行な光以外はルーバー１０で遮られるため、ライン光源１から照射される光に指向性を持たせることができる。
【００１５】
なお、図２では、光の射出角度を制御する手段としてルーバー１０が設けられた例を図示したが、ライン光源１から照射される光の射出角度を制御する手段は、微細なルーバー構造を有するフィルムでも代用できる。
【００１６】
図３を用いて、ライン光源１にルーバー１０を設けた効果について説明する。図３（ａ）は、ライン光源１にルーバー１０を設けた効果を説明する図、図３（ｂ）は、ライン光源１の代わりに２つの光源を設けたときを説明する図である。
【００１７】
図３（ａ）に示したように、ライン光源１にルーバー１０を設け、ライン光源１から照射される光の射出角度を制御し、フィルム４の面の垂直方向に対して斜めから指向性のある光を照射することで、筋状のしわ４０による影がフィルム４上に形成され、筋状のしわ４０のエッジを強調することができる。
【００１８】
図３（ｂ）は、ライン光源１の代わりに２つの光源を配置し、フィルム４の幅方向全面を照射した図である。図３（ｂ）では、２つの光源からそれぞれ照射される光が、フィルム４の中央部が重なり合い、フィルム４の中央部の照度が高くなり、結果としてしわの検査誤差が発生し易くなる。
【００１９】
また、２つの光源からそれぞれ照射される光が、フィルム４の中央部で重なり合わないように調整されたとしても、フィルム４の端と中央では光源からの距離が異なるため、やはり、フィルム４の幅方向で照度にムラが生じてしまう。
【００２０】
これに対して、本発明のライン光源１では、フィルム４の幅方向で照度にムラが発生せず、しわの検査性能を高めることができる。
【００２１】
図１の画像処理装置３は、ＣＣＤカメラ２から転送された画像を解析し、フィルム４上に発生している筋状のしわ４０を抽出し、フィルム４上に発生したしわ４０を検査する装置である。
【００２２】
本発明は、ライン光源１に特徴を持たせたものであり、画像処理装置３がしわを検出する方式を問うものでない。
しわを検査する技術としては、例えば、特許文献１で開示され、ドクター筋と称される印刷欠陥を検査する技術を流用することで、画像処理装置３はしわを検査する。
【図面の簡単な説明】
【００２３】
【図１】しわ検査装置の構成を説明するための図。
【図２】しわ検査装置に備えられたライン光源を説明する図。
【図３】ライン光源にルーバーを設けた効果を説明する図。
【符号の説明】
【００２４】
１  ライン光源
１０  ルーバー
２  ＣＣＤカメラ
３  画像処理装置
４  フィルム
４０  筋状のしわ
【図１】
2007248166.tif 000003
【図２】
2007248166.tif 000004
【図３】
2007248166.tif 000005